(57)【要約】【課題】  利用する顧客側の仕様に合わせ、画面項目表記、項目内容を調整できる、コンピュータシステムにおける変換システムを得る。【解決手段】  利用者別ＩＤ及びパスワードを受信する受信手段３と、ＩＤ及びパスワードに対応して契約者アカウントｍ１５を記憶したユーザマスタＭ１を参照して契約者アカウントを選定する契約者アカウント選定手段５と、契約者アカウントに対応した画面項目表記を記憶した画面項目表記マスタＭ３を参照して画面項目表記を取得する画面項目表記取得手段７Ａ及び契約者アカウントに対応した項目内容を含んだ各種マスタＭ５を参照してマスタ項目内容を取得するマスタ項目内容取得手段７Ｂを備える契約者情報取得手段７と、画面項目表記とマスタ項目内容を表示する契約者アカウント別専用画面を生成し出力する契約者アカウント別専用画面生成出力手段９を有する。【選択図】        図１
2006185183.tif 000002
【特許請求の範囲】
【請求項１】
インターネットを活用してデータの入力・保管・参照を行うコンピュータシステムにおける、
利用者別ＩＤ及びパスワードを受信する受信手段と、
前記ＩＤ及びパスワードに対応して契約者アカウントを記憶したユーザマスタを参照して前記ＩＤ及びパスワードに基づき契約者アカウントを選定する契約者アカウント選定手段と、
前記契約者アカウントに対応した画面項目表記を記憶した画面項目表記マスタを参照して前記契約者アカウントに対応した画面項目表記を取得する画面項目表記取得手段と、
前記契約者アカウントに対応した項目内容を含んだ各種マスタを参照して前記契約者アカウントに対応したマスタ項目内容を取得するマスタ項目内容取得手段とを備える契約者情報取得手段と、
前記画面項目表記と前記マスタ項目内容を表示する契約者アカウント別専用画面を生成し出力する契約者アカウント別専用画面生成出力手段と、
を有することを特徴とするログインＩＤ制御による画面項目表記及びマスタ項目内容の変換システム。
【請求項２】
インターネットを活用してデータの入力・保管・参照を行うコンピュータシステムにおける、
利用者別ＩＤ及びパスワードを受信する受信ステップと、
前記ＩＤ及びパスワードに対応して契約者アカウントを記憶したユーザマスタを参照して前記ＩＤ及びパスワードに基づき契約者アカウントを選定する契約者アカウント選定ステップと、
前記契約者アカウントに対応した画面項目表記を記憶した画面項目表記マスタを参照して前記契約者アカウントに対応した画面項目表記を取得する画面項目表記取得ステップと、
前記契約者アカウントに対応した項目内容を含んだ各種マスタを参照して前記契約者アカウントに対応したマスタ項目内容を取得するマスタ項目内容取得ステップと、
前記画面項目表記と前記マスタ項目内容を表示する契約者アカウント別専用画面を生成し出力する契約者アカウント別専用画面生成出力ステップと、
を有することを特徴とするログインＩＤ制御による画面項目表記及びマスタ項目内容の変換方法。
【請求項３】
インターネットを活用してデータの入力・保管・参照を行うコンピュータシステムに、
利用者別ＩＤ及びパスワードを受信する受信手順と、
前記ＩＤ及びパスワードに対応して契約者アカウントを記憶したユーザマスタを参照して前記ＩＤ及びパスワードに基づき契約者アカウントを選定する契約者アカウント選定手順と、
前記契約者アカウントに対応した画面項目表記を記憶した画面項目表記マスタを参照して前記契約者アカウントに対応した画面項目表記を取得する画面項目表記取得手順と、
前記契約者アカウントに対応した項目内容を含んだ各種マスタを参照して前記契約者アカウントに対応したマスタ項目内容を取得するマスタ項目内容取得手順と、
前記画面項目表記と前記マスタ項目内容を表示する契約者アカウント別専用画面を生成し出力する契約者アカウント別専用画面生成出力手順と、
を実行させるためのログインＩＤ制御による画面項目表記及びマスタ項目内容の変換プログラム。
【発明の詳細な説明】
【技術分野】
【０００１】
この発明は、インターネットを活用してデータの入力・保管・参照を行うコンピュータシステムにおける、ログインＩＤ制御による画面項目表記及びマスタ項目内容の変換システム、方法及びプログラムに関する。
【背景技術】
【０００２】
従来の顧客向けシステムは汎用的な設計を基本とし、それを利用する顧客側が汎用的なシステムに合わせて利用してもらう形を原則としていた。このため、顧客側は、利用する顧客側の実情また社内仕様に合わない画面項目名、項目内容に不便を感じながらも、そのまま汎用的なシステムを利用してきている。
【０００３】
これまでにも、コンテンツの切替機構を設けると共に利用者毎のコンテンツの構成をテーブルに記憶し、利用者に必要なコンテンツのみを業務の流れに沿って使い勝ってよく表示する発明が開示されている。これは、機能を実現するコンテンツをパーツとして登録するパーツテーブルを設け、利用者ＩＤに対応づけてパーツテーブル中から選択したコンテンツを構成テーブルに記憶し、利用者ＩＤが入力されたときに、構成テーブルから利用者ＩＤ対応のコンテンツを取り出し、取り出したコンテンツをメニュー上に表示するものである（特許文献１）。
【０００４】
また、画面の切り替えについては、マルチウインドウにおける画面の切り替えを起動した画面につき画面ＩＤを基に行うもの、すなわちマルチウインドウシステムにおいて、表示切替え用に入力手段から入力される情報と該情報が入力されたときに表示される画面識別情報とを対応させて記憶手段に予め記憶しておき、入力手段から入力される情報を監視し、表示切替え用の情報が前記入力手段から入力されたことを検出した際に、複数の画面間での画面表示の切替を行なうものが開示されている（特許文献２）。
【特許文献１】特開２００３−５８８２号公報（要約、段落０００３及び図１）
【特許文献２】特開２０００−２９６００号公報（要約、段落００１３及び図１）
【発明の開示】
【発明が解決しようとする課題】
【０００５】
しかしながら、上記の特許文献１に記載の発明は、コンテンツの選択設定に関するものであるが、画面項目表記、その項目内容の調整についての配慮はされていない。また、上記の特許文献２に記載の発明は、マルチウインドウシステムにおいてメニュー画面で起動した画面等、特定のグループの画面間で任意に切り替え可能とする画面切替システムに過ぎないもので、画面切替によって、顧客側の実情また社内仕様に合わない画面項目名、項目内容を調整するものではない。
【０００６】
そこで、本発明が解決しようとする課題は、インターネットを活用してデータの入力・保管・参照を行うコンピュータシステムにおける、利用する顧客側の実情また社内仕様に合わせ、画面項目表記、項目内容を調整できる、変換システム、方法及びプログラムを、提供することにある。
【課題を解決するための手段】
【０００７】
上記課題を解決するため、請求項１に記載の発明では、インターネットを活用してデータの入力・保管・参照を行うコンピュータシステムにおける、利用者別ＩＤ及びパスワードを受信する受信手段と、前記ＩＤ及びパスワードに対応して契約者アカウントを記憶したユーザマスタを参照して前記ＩＤ及びパスワードに基づき契約者アカウントを選定する契約者アカウント選定手段と、前記契約者アカウントに対応した画面項目表記を記憶した画面項目表記マスタを参照して前記契約者アカウントに対応した画面項目表記を取得する画面項目表記取得手段と、前記契約者アカウントに対応した項目内容を含んだ各種マスタを参照して前記契約者アカウントに対応したマスタ項目内容を取得するマスタ項目内容取得手段とを備える契約者情報取得手段と、前記画面項目表記と前記マスタ項目内容を表示する契約者アカウント別専用画面を生成し出力する契約者アカウント別専用画面生成出力手段と、を有するログインＩＤ制御による画面項目表記及びマスタ項目内容の変換システムとする。
【０００８】
これによって、ＩＤ及びパスワードに対応した契約者アカウントをキーに画面項目表記マスタ、項目内容を含んだ各種マスタを参照して、利用する顧客側の実情また社内仕様に合わせ、画面項目表記、マスタ項目内容を調整できる変換システムとできる。
【０００９】
請求項２に記載の発明では、インターネットを活用してデータの入力・保管・参照を行うコンピュータシステムにおける、利用者別ＩＤ及びパスワードを受信する受信ステップと、前記ＩＤ及びパスワードに対応して契約者アカウントを記憶したユーザマスタを参照して前記ＩＤ及びパスワードに基づき契約者アカウントを選定する契約者アカウント選定ステップと、前記契約者アカウントに対応した画面項目表記を記憶した画面項目表記マスタを参照して前記契約者アカウントに対応した画面項目表記を取得する画面項目表記取得ステップと、前記契約者アカウントに対応した項目内容を含んだ各種マスタを参照して前記契約者アカウントに対応したマスタ項目内容を取得するマスタ項目内容取得ステップと、前記画面項目表記と前記マスタ項目内容を表示する契約者アカウント別専用画面を生成し出力する契約者アカウント別専用画面生成出力ステップと、を有するログインＩＤ制御による画面項目表記及びマスタ項目内容の変換方法とする。
【００１０】
これによって、ＩＤ及びパスワードに対応した契約者アカウントをキーに画面項目表記マスタ、項目内容を含んだ各種マスタを参照して、利用する顧客側の実情また社内仕様に合わせ、画面項目表記、項目内容を調整できる変換方法とできる。
【００１１】
請求項３に記載の発明では、インターネットを活用してデータの入力・保管・参照を行うコンピュータシステムに、利用者別ＩＤ及びパスワードを受信する受信手順と、前記ＩＤ及びパスワードに対応して契約者アカウントを記憶したユーザマスタを参照して前記ＩＤ及びパスワードに基づき契約者アカウントを選定する契約者アカウント選定手順と、前記契約者アカウントに対応した画面項目表記を記憶した画面項目表記マスタを参照して前記契約者アカウントに対応した画面項目表記を取得する画面項目表記取得手順と、前記契約者アカウントに対応した項目内容を含んだ各種マスタを参照して前記契約者アカウントに対応したマスタ項目内容を取得するマスタ項目内容取得手順と、前記画面項目表記と前記マスタ項目内容を表示する契約者アカウント別専用画面を生成し出力する契約者アカウント別専用画面生成出力手順と、を実行させるためのログインＩＤ制御による画面項目表記及びマスタ項目内容の変換プログラムとする。
【００１２】
これによって、ＩＤ及びパスワードに対応した契約者アカウントをキーに画面項目表記マスタ、項目内容を含んだ各種マスタを参照して、利用する顧客側の実情また社内仕様に合わせ、画面項目表記、項目内容を調整できる変換プログラムとできる。
【発明の効果】
【００１３】
本発明によれば、インターネットを活用してデータの入力・保管・参照を行うコンピュータシステムにおける、利用する顧客側の実情また社内仕様に合わせ、画面項目表記、項目内容を調整できる、変換システム、方法、プログラムを得ることができる。
【発明を実施するための最良の形態】
【００１４】
以下本発明の実施の形態を図を参照しつつ説明する。
【００１５】
図１乃至図１０は、本発明による一実施の形態としての、インターネットを活用してデータの入力・保管・参照を行うコンピュータシステムにおけるログインＩＤ制御による画面項目表記及びマスタ項目内容の変換システムに関するものである。
【００１６】
特に、この実施の形態では、損害保険の契約者パーソナルコンピュータ（ＰＣ）と損害保険会社のメインサーバに適用したログインＩＤ制御による画面項目表記及びマスタ項目内容の変換システムの例を示している。後述する契約者ＡＢＣは、店舗経営者（または、店舗経営会社）、契約者ＸＹＺは、ガソリンスタンド経営者（又は、ガソリンスタンド経営会社）を例としている。
【００１７】
図１は、インターネットを活用してデータの入力・保管・参照を行うコンピュータシステムにおけるログインＩＤ制御による画面項目表記及びマスタ項目内容の変換システムの構成図を示す。ここでのコンピュータシステム１０は、インターネット１１で契約者ＰＣ１２（契約者ＡＢＣのＰＣ），１３（契約者ＸＹＺのＰＣ）等と接続されたメインサーバ１を備える。メインサーバ１は、基本データを記録したマスタ・ファイルとしての、ユーザマスタＭ１、画面項目表記マスタＭ３、各種マスタＭ５を内部に有するか、これらと接続されている（ここでは、説明の便宜上、ユーザマスタＭ１、画面項目表記マスタＭ３、各種マスタＭ５は、メインサーバ１の外に置かれ、メインサーバ１と接続されている。）。ユーザマスタＭ１は、契約者のＩＤナンバー（ＩＤ）ｍ１１とパスワードｍ１３から契約者アカウントｍ１５を特定するテーブルＴ１を備える。画面項目表記マスタＭ３は、契約者アカウントｍ１５を基に画面項目表記ｍ３１、ｍ３２等を特定する画面項目表記のテーブルＴ３を備える（図２、後述する。）各種マスタＭ５は、契約者アカウントｍ１５に基づき各種マスタのマスタ項目内容ｍ５１、ｍ５２等を管理するテーブルＴ５１，Ｔ５２等を備える。
【００１８】
メインサーバ１内には、次の各手段が設けられている。
【００１９】
契約者ＰＣ１２或いは１３等からインターネット１１を介して入力される利用者別ＩＤｍ１１及びパスワードｍ１３を受信する受信手段３と、
ＩＤｍ１１及びパスワードｍ１３に対応して契約者アカウントｍ１５を記憶したユーザマスタＭ１を参照して利用者別ＩＤｍ１１及びパスワードｍ１３に基づき契約者アカウントｍ１５を選定する契約者アカウント選定手段５と、
契約者アカウントｍ１５に対応した画面項目表記ｍ３１、ｍ３２等を記憶した画面項目表記マスタＭ３を参照して契約者アカウントｍ１５に対応した画面項目表記ｍ３１、ｍ３２等を取得する画面項目表記取得手段７Ａと、
契約者アカウントｍ１５に対応した項目内容ｍ５１、ｍ５２等を含んだ各種マスタＭ５を参照して契約者アカウントｍ１５に対応したマスタ項目内容ｍ５１、ｍ５２等を取得するマスタ項目内容取得手段７Ｂとを備える契約者情報取得手段７と、
画面項目表記ｍ３１、ｍ３２等とマスタ項目内容ｍ５１、ｍ５２等を表示する契約者アカウント別専用画面を生成し出力する契約者アカウント別専用画面生成出力手段９とが設けられる。
【００２０】
受信手段３、契約者アカウント選定手段５、契約者情報取得手段７と契約者アカウント別専用画面生成出力手段９は、順次信号のやり取りのために接続されている。また、契約者アカウント選定手段５はユーザマスタＭ１と、契約者情報取得手段７内の画面項目表記取得手段７Ａは画面項目表記マスタＭ３と、マスタ項目内容取得手段７Ｂは各種マスタＭ５と接続されている。契約者アカウント別専用画面生成出力手段９はインターネット１１と接続される。
【００２１】
ログインＩＤ制御による画面項目表記及びマスタ項目内容の変換システムは、ここでは、基本的に、受信手段３、契約者アカウント選定手段５、契約者情報取得手段７、契約者アカウント別専用画面生成出力手段９と、ユーザマスタＭ１、画面項目表記マスタＭ３、各種マスタＭ５とから成っている。
【００２２】
次に、簡単に変換方法について説明する。
【００２３】
ステップ１では、プラウザにより契約者ＰＣ１２、１３等から、インターネット１１を介して送られてきた利用者別ＩＤｍ１１及びパスワードｍ１３を受信する（受信ステップ）。
【００２４】
ステップ２では、ステップ１で受信した利用者別ＩＤｍ１１及びパスワードｍ１３に基づき、ＩＤｍ１１及びパスワードｍ１３に対応して契約者アカウントｍ１５を記憶したユーザマスタＭ１を参照して契約者アカウントｍ１５を選定する（契約者アカウント選定ステップ）。
【００２５】
ステップ３では、契約者アカウントｍ１５に対応した画面項目表記ｍ３１、ｍ３２等を記憶した画面項目表記マスタＭ３を参照して契約者アカウントｍ１５に対応した画面項目表記ｍ３１、ｍ３２等を取得する（画面項目表記取得ステップ）。
【００２６】
ステップ４では、契約者アカウントｍ１５に対応した項目内容ｍ５１、ｍ５２等を含んだ各種マスタＭ５を参照して契約者アカウントｍ１５に対応したマスタ項目内容を取得する（マスタ項目内容取得ステップ）。
【００２７】
ステップ５では、ステップ３とステップ４とで取得した、画面項目表記とマスタ項目内容ｍ５１、ｍ５２等を表示する契約者アカウント別専用画面を生成し、出力する（契約者アカウント別専用画面生成出力ステップ）。
【００２８】
こうして、利用者別ＩＤｍ１１及びパスワードｍ１３を入力した契約者ＰＣには、インターネット１１を介して、契約者アカウント別専用画面（後述する図３、図４）が表示される。契約者ＰＣからはこの契約者アカウント別専用画面を通じてロスデータ（損害データ）の入力、追加記入、変更を行うことができる。
【００２９】
次に、画面項目表記の変換を具体例を挙げながら説明する。
【００３０】
図２は、画面項目表記マスタＭ３内の契約者ＡＢＣ、契約者ＸＹＺについての画面項目表記ｍ３１、ｍ３２等の変換テーブル例の説明図である。ここでの契約者ＡＢＣは、店舗経営者であること、契約者ＸＹＺは、ガソリンスタンド経営者であることを想定している。縦欄Ｒ１は「画面項目名」の欄である。縦欄Ｒ３は「画面項目表記」の欄で、契約者ＡＢＣ用欄Ｒ３１と契約者ＸＹＺ用欄Ｒ３２とに別れている。縦欄Ｒ２は、対応する横行の「画面項目表記」の欄の変更が可能か否かを示す「変更可否」欄である。
【００３１】
さらに、図３の契約者ＡＢＣのアカウント別専用画面の例を示す表示画面図と、図４の契約者ＸＹＺのアカウント別専用画面の例を示す表示画面図とを参照しつつ、図２の横行関係を説明する。
【００３２】
縦欄Ｒ１の「画面項目名」の欄には、「ブランチ・コード」Ｋ１，「エリア・コード」Ｋ３、「ストア・コード」Ｋ５、「ストア・連絡先」Ｋ７、「ストア・担当」Ｋ９、「事故日」Ｋ１１、「事故時間」Ｋ１３等々と、記録されている。
【００３３】
それぞれの横行の「変更可否」欄には、アカウント別の項目表記の変更が変更可能な場合「１」を、変更不能な場合「０」を記録する。契約者ＡＢＣ用欄Ｒ３１と契約者ＸＹＺ用欄Ｒ３２には、それぞれの画面項目表記が記憶されている。例えば、画面項目名「ブランチ・コード」Ｋ１に対しては、契約者ＡＢＣ用欄Ｒ３１では、「ディストリクト」Ａｋ１と、契約者ＸＹＺ用欄Ｒ３２では、「ブロック」Ｘｋ１と記憶されている。画面項目名「エリア・コード」Ｋ３に対しては、契約者ＡＢＣ用欄Ｒ３１では、「エリア」Ａｋ３と、契約者ＸＹＺ用欄Ｒ３２でも、「エリア」Ｘｋ３と記憶されている。これらの「画面項目名」の欄Ｒ１、「変更可否」欄Ｒ２「画面項目表記」の欄Ｒ３の契約者ＡＢＣ用欄Ｒ３１と契約者ＸＹＺ用欄Ｒ３２の対応関係は、Ｋ５乃至Ｋ２１についても、上記の説明と同じで、図２の変換テーブルに記載のとおりである。Ａｋ１，Ａｋ３等の図３の符号は、図２の同符号と対応するものである。また、Ｘｋ１，Ｘｋ３等の図４の符号は図２の同符号と対応するものである。図２のテーブルにおいて変更可能「１」とされた項目は、図３と図４では、画面項目表記、例えば図３の「ディストリクト」図４の「ブロック」、をそれぞれ太線の枠の中に入れて示している。
【００３４】
次に、各種マスタＭ５とマスタ項目内容とその表示画面上への表示について説明する。
【００３５】
図５は契約者アカウント毎に管理が可能な各種マスタを示す説明図である。各種マスタＭ５は、ここでは（１）から（１６）まである。各々の各種マスタＭ５内は各契約者アカウントｍ１５と結びつきこれに基づいて管理されている。図６は、「ステータスマスタ」Ｍ５（１４）における契約者ＡＢＣ用のマスタ項目内容のテーブルＡＭ５（１４）であり、図７は、「ステータスマスタ」における契約者ＸＹＺ用のマスタ項目内容のテーブルＸＭ５（１４）である。
【００３６】
「ステータスマスタ」Ｍ５（１４）は、図５、図６、図７に示すように、契約者アカウントと結びついた、「ステータスコード」「ステータス名称」「未払支払区分」のマスタ項目内容から成る。図６の契約者ＡＢＣ用のテーブルＡＭ５（１４）のマスタ項目内容では、「ステータスコード」の「００」に対する「ステータス名称」は「保険対象外」、「未払支払区分」は「０」（未払い）である。「ステータスマスタ」Ｍ５（１４）における契約者ＡＢＣ用のテーブルＡＭ５（１４）のマスタ項目内容は、「ステータスコード」が、「００」から「０５」と「９９」とがあり、これに対応して、「ステータス名称」は、「保険対象外」「書類一式待ち」「総務人事部  請求書あり」等と、図６のテーブルに記載のとおりである。なお、「ステータスコード」が「９９」の「ステータス名称」は「支払完了」であり、これの「未払支払区分」は、「１」（支払い）である。
【００３７】
一方、図７に示すように、「ステータスマスタ」Ｍ５（１４）における契約者ＸＹＺ用のテーブルＸＭ５（１４）のマスタ項目内容は、「ステータスコード」が、「０１」「２０」「３０」、「ステータス名称」は、「未払い」「支払完了」「無責・放棄」、「未払支払区分」は「０」（未払い）、「１」（支払い）、「０」（未払い）である。
【００３８】
図８は，図５の各種マスタと，契約者ＡＢＣのアカウント別専用画面との対応関係を説明するための、契約者ＡＢＣのアカウント別専用画面を示す表示画面図である。ここに記入された括弧内の数字は、図５の各種マスタの符号の末尾に付けた括弧内の数字と対応している。図８の、その部分の表示内容を管理している図５の各種マスタを示している。例えば、図８のステータス表示の横に記入された（１４）は、図５のステータスマスタＭ５（１４）が、この部分を管理することを示す。
【００３９】
図９は、契約者ＡＢＣのアカウント別専用画面を示すもので、図５の各種マスタのテーブルが管理する項目選択用プルダウンメニュー表示の例を示している。項目選択用プルダウンメニュー表示ＡＰ（１４）は、ステータスマスタＭ５（１４）の図６に示すテーブルＡＭ５（１４）に管理された項目選択用プルダウンメニューを表示している。その他にも、事故形態マスタＭ５（９）のテーブルＡＭ５（９）に管理された項目選択用プルダウンメニュー表示ＡＰ（９）を、また、事故原因マスタＭ５（４）のテーブルＡＭ５（４）に管理された項目選択用プルダウンメニュー表示ＡＰ（４）を示している。
【００４０】
図１０は、契約者ＸＹＺのアカウント別専用画面を示すもので、図５の各種マスタのテーブルが管理する項目選択用プルダウンメニュー表示の例を示している。項目選択用プルダウンメニュー表示ＸＰ（１４）は、ステータスマスタＭ５（１４）の図７に示すテーブルＸＭ５（１４）に管理された項目選択用プルダウンメニューを表示している。その他にも、事故形態マスタＭ５（９）のテーブルＸＭ５（９）に管理された項目選択用プルダウンメニュー表示ＸＰ（９）を、また、事故原因マスタＭ５（４）のテーブルＸＭ５（４）に管理された項目選択用プルダウンメニュー表示ＸＰ（４）を示している。契約者ＰＣでの入力は、可能なものをプルダウンメニューからの項目のマウスクリックによる選択として、簡便としている。
【００４１】
以上、一実施形態を説明してきたが、契約者ＰＣは、携帯型ＰＣ、将来的には携帯電話端末であってもよい。また、利用者別ＩＤナンバー（ＩＤ）は、１の契約者アカウントに対して複数設けることが多数の従業員のアクセスが必要な場合は必須となる。契約者アカウントに例えば複数のサブアカウントを設けて事業所の特徴に応じた管理に生かすことができる。複数の利用者別ＩＤナンバー（ＩＤ）により、画面参照範囲権限、画面修正範囲権限の区別管理を並行して行うこともできる。
【産業上の利用可能性】
【００４２】
以上のように、本発明による変換システム、方法、プログラムは、インターネットを活用してデータの入力・保管・参照を行うコンピュータシステムにおける、画面項目表記、項目内容を調整するものとして有用である。
【図面の簡単な説明】
【００４３】
【図１】本発明によるログインＩＤ制御による画面項目表記及びマスタ項目内容の変換システムの一例を示す構成図である。
【図２】図１の変換システムにおける画面項目表記マスタ内の契約者ＡＢＣ、ＸＹＺについての画面項目表記の変換テーブル例の説明図である。
【図３】図１の変換システムを用いた場合の契約者ＡＢＣのアカウント別専用画面の例を示す表示画面図である。
【図４】図１の変換システムを用いた場合の契約者ＸＹＺのアカウント別専用画面の例を示す表示画面図である。
【図５】図１の変換システムにおける契約者アカウント毎に管理が可能な各種マスタを示す説明図である。
【図６】図１の変換システムにおける契約者ＡＢＣのステータスマスタが有するマスタ項目内容のテーブル例の説明図である。
【図７】図１の変換システムにおける契約者ＸＹＺのステータスマスタが有するマスタ項目内容のテーブル例の説明図である。
【図８】図５の各種マスタと、契約者ＡＢＣのアカウント別専用画面との対応関係を説明するための、契約者ＡＢＣのアカウント別専用画面を示す表示画面図である。
【図９】図１の変換システムを用いた場合のマスタ項目内容の入力時における契約者ＡＢＣのアカウント別専用画面の例を示す表示画面図である。
【図１０】図１の変換システムを用いた場合のマスタ項目内容の入力時における契約者ＸＹＺのアカウント別専用画面の例を示す表示画面図である。
【符号の説明】
【００４４】
１  メインサーバ、３  受信手段、５  契約者アカウント選定手段、７  契約者情報取得手段、７Ａ  画面項目表記取得手段、７Ｂ  マスタ項目内容取得手段、９  契約者アカウント別専用画面生成出力手段、１０  コンピュータシステム、１１  インターネット、１２，１３  契約者ＰＣ、Ｍ１  ユーザマスタ、Ｍ３  画面項目表記マスタ、Ｍ５  各種マスタ、ｍ１１  利用者別ＩＤナンバー（ＩＤ）、ｍ１３  パスワード、ｍ１５  契約者アカウント、ｍ３１，ｍ３２  画面項目表記、ｍ５１，ｍ５２  マスタ項目内容、Ｔ１，Ｔ３，Ｔ５１，Ｔ５２  テーブル、Ｋ１  ブランチ・コード、Ｋ３  エリア・コード、Ｋ５  ストア・コード、Ｋ７  ストア・連絡先、Ｋ９  ストア・担当、Ｋ１１  事故日、Ｋ１３  事故時間、Ａｋ１  ディストリクト、Ａｋ３  エリア、Ｘｋ１  ブロック、Ｘｋ３  「エリア」、Ｍ５（１４）  ステータスマスタ、ＡＭ５（９），ＡＭ５（１４）  契約者ＡＢＣ用のマスタ項目内容のテーブル、ＸＭ５（４），ＸＭ５（１４）  契約者ＸＹＺ用のマスタ項目内容のテーブル、ＡＰ（４），ＡＰ（１４）  項目選択用プルダウンメニュー表示、ＸＰ（４），ＸＰ（９），ＸＰ（１４）  項目選択用プルダウンメニュー表示。
【図１】
2006185183.tif 000003
【図２】
2006185183.tif 000004
【図３】
2006185183.tif 000005
【図４】
2006185183.tif 000006
【図５】
2006185183.tif 000007
【図６】
2006185183.tif 000008
【図７】
2006185183.tif 000009
【図８】
2006185183.tif 000010
【図９】
2006185183.tif 000011
【図１０】
2006185183.tif 000012